(57)【特許請求の範囲】
【請求項１】
無線又は有線の通信により情報を送受信する情報通知システムであって、
案内図または案内板における複数の表示部分に組み込まれている固定局において、前記表示部分に接近する又は接触した携帯型端末から当該表示部分に関連する情報として保持された情報を受信する手段と、該携帯型端末から受信した情報を前記固定局に保持する手段と、前記固定局に保持している情報を接近する又は接触した別の携帯型端末に送信する手段を含み、
前記携帯型端末において、接近する又は接触した前記固定局から情報を受信する手段と、受信した情報を表示する手段と、前記表示部分に関連する情報として前記固定局に送信する情報を入力する手段と、入力した情報を保持する手段と、保持された情報を接近する又は接触した前記固定局に送信する手段を含み、
前記携帯型端末で入力した情報を接近する又は接触した前記固定局に保持させ、前記別の携帯型端末が前記固定局において前記携帯型端末で入力した情報を取得することを特徴とした情報通知システム。
【請求項２】
前記固定局において、前記携帯型端末より受信した検索条件に基づいて前記固定局に保持されている情報を検索する手段を含み、前記固定局に保持されている情報から検索条件に合う情報のみを前記携帯型端末で取得する請求項１記載の情報通知システム。
【請求項３】
固定局において、携帯型端末から受信した情報を検索条件としてデータベースを処理する手段と、ネットワークに接続する手段と、検索結果を前記携帯型端末へ送信する手段をさらに含み、
前記携帯型端末で入力された情報を条件として前記固定局にネットワークで接続されるデータベースから取得した検索結果を前記携帯型端末で表示する、請求項１記載の情報通知システム。
【請求項４】
前記固定局と前記携帯型端末が近接していない場合でも通信可能な通信手段を前記固定局及び前記携帯型端末に備え、前記携帯型端末で入力し前記固定局に送信した情報を検索条件として検索した検索結果を、前記携帯型端末が前記固定局に近接していない場合でも送信できる請求項２又は３記載の情報通知システム。
【請求項５】
前記固定局の情報保持手段における情報更新イベントを監視する手段と、前記固定局と前記携帯型端末が近接していない場合でも通信可能な通信手段を前記固定局及び前記携帯型端末に備え、前記携帯型端末からイベント監視条件を入力して前記固定局に送信すると、前記固定局に対して別の携帯型端末からイベント監視条件に相当する情報が提供されたときに、通信可能な通信手段によって前記固定局からイベント監視条件を入力した前記携帯型端末に対してイベント監視条件に相当する情報を送信する請求項１記載の情報通知システム。
【請求項６】
前記固定局に情報保持手段における情報更新イベントを監視する手段を備え、
前記携帯型端末にその携帯型端末を識別可能な識別子を記憶する手段を備え、
監視しているイベントが発生したときにイベント監視依頼をした前記携帯型端末の前記識別子を持つ前記携帯型端末に対してのみ送信する請求項１記載の情報通知システム。
【請求項７】
前記固定局におけるイベント監視手段に外部のイベント通知手段を接続し、外部で監視対象イベントが発生した場合に前記携帯型端末に情報を送信する請求項５又は６記載の情報通知システム。
【請求項８】
無線又は有線の通信により情報を送受信する処理を携帯型端末のコンピュータに実行させるプログラムを記録したコンピュータ読み取り可能な記録媒体であって、
前記プログラムは、
案内図または案内板における複数の表示部分に組み込まれている固定局に接近又は接触したときに、前記固定局から当該表示部分に関連する情報として保持された情報を受信するステップと、
受信した情報を表示するステップと、
前記表示部分に関連する情報として前記固定局に送信する情報を入力するステップと、
入力された情報を保持するステップと、
保持された情報を接近する又は接触した固定局に送信するステップとを前記コンピュータに実行させることにより、
前記携帯型端末で入力した前記表示部分に関連する情報を接近する又は接触した前記固定局へ送信し、別の携帯型端末で入力された前記表示部分に関連する情報を、接近する又は接触した前記固定局から取得することを特徴とするコンピュータ読み取り可能な記録媒体。
【発明の詳細な説明】
【０００１】
【発明の属する技術分野】
本発明は、携帯端末に情報を発信するサービスに関する。特に、目印として利用しやすいバス停等ではバスの運行状況を提供する等、情報提供場所に応じた情報を携帯端末に発信するサービスに関する。
【０００２】
【従来の技術】
従来、移動体と通信するシステムとして、小ゾーン方式の無線、例えば携帯電話を利用する方法が良く用いられている。ユーザの携帯電話において何らかのユーザからの情報要求を検出して当該エリア内のユーザに提供したり、同じエリア内にいる携帯電話ユーザのすべてに無差別に情報を通知する等のサービスが提供されている。
【０００３】
この場合、固定局が設置され、固定局からあまり離れていないエリア内にて情報を取得する方法が主流である。さらに、固定局を中継して移動局同士で情報を交換することも試みられている。例えば、特開平１０−３２５３８号公報においては、自動車等の移動体を移動局として、移動局同士若しくは移動局と固定局との間のエリア内通信方法及び装置について開示されている。
【０００４】
【発明が解決しようとする課題】
しかし、かかるサービスにおいて、固定局に蓄積され発信される情報は、ユーザごとに千差万別であり、何らかの手段によって情報のフィルタリングをしないと、却ってユーザが欲しい情報に到達できないという問題点があった。
【０００５】
上記弊害を排除する方法として、無線の届くゾーンをより狭くして、その狭い範囲内のみに関係する情報だけを発信することにより、情報の総量を少なくするという手段が考えられる。しかし、かかる手段では、情報の総量を抑えることはできても、ユーザのきめ細かいニーズには対処することはできず、また移動体の速度が速い場合には欲しい情報を取得することさえ困難になってしまうという弊害が生じる。
【０００６】
本発明は、上記弊害を解消し、ユーザのきめ細かいニーズに対応しつつ、簡便に欲しい情報を入手することが可能となる情報通信システムを提供することを目的とする。
【０００７】
【課題を解決するための手段】
上記課題を解決するために本発明にかかる情報通知システムは、無線又は有線の通信により情報を通知する情報通知システムであって、固定局において、移動局に通知すべき情報を入力する手段と、入力された情報を保持する手段と、移動局へ情報を通知する手段を含み、移動局において、固定局から情報を受信する手段と、受信した情報を表示する手段を含み、事前に固定局に入力された情報を、移動局端末を携帯する利用者が固定局へ接近する又は接触することで取得できることを特徴とする。
【０００８】
かかる構成により、固定局を経由して移動体である移動局端末を携帯するユーザが固定局へ接近するだけで欲しい情報を取得することができるので、システム的に接続するという一連の手順を経ることなく、容易に欲しい情報を得ることが可能となる。また、無線の届くゾーンを極力制限してフィルタリング処理を行っている場合であっても、移動局端末を接触させることにより、確実にかつ容易に欲しい情報を取得することが可能となる。
【０００９】
また、本発明にかかる情報通知システムは、固定局から移動局に情報を通知する手段を複数備えることが望ましい。近接若しくは接触した場合にのみ情報が通知できるシステムだと、移動局が移動した場合に欲しい情報を取得できない場合も考えられるからである。ここで、複数の情報通知手段としては、携帯電話等による遠隔通信路が考えられる。
【００１０】
次に、本発明にかかる情報通知システムは、無線又は有線の通信により情報を通知する情報通知システムであって、固定局において、移動局から情報を受信する手段と、移動局から受信した情報を保持する手段と、保持している情報を別の移動局に通知する手段を含み、移動局では固定局から情報を受信する手段と、受信した情報を表示する手段と、固定局に通知する情報を入力する手段と、入力した情報を保持する手段と、保持された情報を固定局に通知する手段を含み、移動局で入力した情報を固定局に保持し、別の移動局が固定局において移動局で入力した情報を取得することを特徴とする。
【００１１】
かかる構成により、固定局を経由して移動局間で情報の受け渡しをすることが可能となり、いわゆる口コミ情報を複数の移動局間で交換することによって、よりユーザのニーズに対応した情報を取得することが可能となる。
【００１２】
また、本発明にかかる情報通知システムは、固定局において、移動局より受信した検索条件に基づいて固定局に保持されている情報を検索する手段を含み、固定局に保持されている情報から検索条件に合う情報のみを移動局で取得することが好ましい。多量の情報が通知されると、本当に欲しい情報を選別できない場合も考えられる。かかる弊害を排除すべく、あらかじめ検索条件等によりフィルタリングをかける趣旨である。
【００１３】
次に、本発明にかかる情報通知システムは、無線又は有線の通信により情報を通知する情報通知システムであって、固定局において、移動局から情報を受信する手段と、受信した情報を検索条件としてデータベースを処理する手段と、ネットワークに接続する手段と、検索結果を移動局へ通知する手段を含み、移動局において、固定局から情報を受信する手段と、受信した情報を表示する手段と、固定局に通知する情報を入力する手段と、入力した情報を保持する手段と、保持された情報を固定局に通知する手段を含み、移動局で入力された情報を条件として固定局にネットワークで接続されるデータベースから取得した検索結果を移動局で表示することを特徴とする。
【００１４】
かかる構成により、ネットワークを通じて外部のデータベースにもアクセス可能となるので、より広い範囲の中から欲しい情報を選別することが可能となる。また、ネットワークに接続されたデータベースを通じて、小ゾーン方式の通信可能範囲を超えた地域間でも情報の交換をすることが可能となる。
【００１５】
また、本発明にかかる情報通知システムは、固定局と移動局が近接していない場合でも通信可能な通信手段を固定局及び移動局に備え、移動局で入力し固定局に送信した情報を検索条件として検索した検索結果を、移動局が固定局に近接していない場合でも通知できることが望ましい。検索条件によっては検索に相当の時間がかかることも十分に予想され、その間移動局が固定局に近接しておかなければならないのでは、実用上不便だからである。
【００１６】
また、本発明にかかる情報通知システムは、固定局の情報保持手段における情報更新イベントを監視する手段と、固定局と移動局が近接していない場合でも通信可能な通信手段を固定局及び移動局に備え、移動局からイベント監視条件を入力して固定局に送信すると、固定局に対して別の移動局からイベント監視条件に相当する情報が提供されたときに、通信可能な通信手段によって固定局からイベント監視条件を入力した移動局に対してイベント監視条件に相当する情報を通知することが望ましい。イベントはいつ発生するかは不明であるので、いつ発生したとしても、確実に欲しい情報を取得できるようにしたものである。
【００１７】
また、本発明にかかる情報通知システムは、固定局に情報保持手段における情報更新イベントを監視する手段を備え、移動局にその移動局を識別可能な識別子を記憶する手段を備え、監視しているイベントが発生したときにイベント監視依頼をした移動局の識別子を持つ移動局に対してのみ通知することが望ましい。ユーザ一人一人の欲する情報は異なるので、特定のユーザの欲する情報が確実に取得できるようにするとともに、無意味な情報を通知することを回避するためである。
【００１８】
また、本発明にかかる情報通知システムは、固定局におけるイベント監視手段に外部のイベント通知手段を接続し、外部で監視対象イベントが発生した場合に移動局に情報を通知することが望ましい。外部のシステムと連携することで、よりきめ細かい情報の制御が可能となるからである。
【００１９】
また、本発明にかかる情報通知システムは、固定局において、移動局が近接していることを検出する手段を備え、移動局が固定局から情報を受信可能な時にのみ固定局から情報を通知することが望ましい。移動局が固定局に近接している場合のみ必要情報を通知することができるので、確実に通知できる場合にのみ情報を発信するようにしたものである。
【００２０】
また、本発明にかかる情報通知システムは、複数の固定局を相互に接続する手段を備え、移動局が一つの固定局から情報を得るときに関連する他の固定局からも情報を得ることができることが好ましい。一つの固定局に保持されている情報量には限界が有り、複数の固定局に保持されている情報を対象とすることで、よりニーズに合致した情報を得ることができる。
【００２１】
次に、本発明にかかるコンピュータに実行させるプログラムを記録したコンピュータ読み取り可能な記録媒体は、無線又は有線の通信により情報を通知するコンピュータに実行させるプログラムを記録したコンピュータ読み取り可能な記録媒体であって、固定局から情報を受信するステップと、受信した情報を表示するステップを含み、事前に固定局に入力された情報を、移動局端末を携帯する利用者が固定局へ接近する又は接触することで取得できることを特徴とする。
【００２２】
かかる構成により、コンピュータ上へ当該プログラムをロードさせ実行することで、移動体である移動局端末を携帯するユーザが固定局へ接近するだけで欲しい情報を取得することができるので、システム的に接続するという一連の手順を経ることなく、容易に欲しい情報を得ることが可能となり、また、無線の届くゾーンを極力制限してフィルタリング処理を行っている場合であっても、移動局端末を接触させることにより、確実にかつ容易に欲しい情報を取得することが可能となる情報通知システムを実現することができる。
【００２３】
【発明の実施の形態】
（実施の形態１）
以下、本発明の実施の形態１にかかる情報通知システムについて、図１から図４を参照しながら説明する。図１は本発明の実施の形態１にかかる情報通知システムの構成図である。図１において、１は固定局（情報提供装置）、２は移動局（情報受信表示端末）を示す。固定局１は、情報送信部１１、情報保持部１２、情報入力部１３で構成されている。一方、移動局２は、情報受信部２１、情報表示部２２で構成されている。固定局１と移動局２とは、無線の通信路３によって接続されている。
【００２４】
情報提供者が、固定局１の情報入力部１３から発信すべきデータを入力すると、当該データは情報保持部１２に格納される。情報保持部１２は登録された日時に基づいて最新の情報が格納されている。情報転送部１１は、定期的に情報保持部１２に格納されている情報を送信する。一方、情報を取得したい者は、情報受信端末２を固定局１から発信される無線信号を受信できる近傍にまで近づけると情報受信部２１がデータを受信する。受信したデータは情報表示部２２に送られて表示される。
【００２５】
また、図２は本発明の実施の形態１にかかる情報通知システムの他の構成例である。図２においては、情報送信部１１が１１ａ、１１ｂ、１１ｃのように複数存在する。したがって、それぞれ情報送信部１１ａ、１１ｂ、１１ｃから送信される情報については、情報保持部１２において異なる情報として格納できるようになっている。
【００２６】
さらに、図３は本発明の実施の形態１にかかる情報通知システムの一実施例として、フロアの案内板に適用した場合のフロア案内図である。図３において、一フロアの案内図２００の中に記載されている各オフィス表示部分に情報送信部が設置されている。例えば、ユーザが一フロアの案内図２００の２０１ａというオフィスの情報を取得したい場合には、移動局２を情報送信部２０１ａに近づける又は接触させることによって、発信されている情報を受信することが可能となる。
【００２７】
また、本発明の実施の形態１にかかる情報通知システムの他の実施例として、図４に周辺地図の案内板２１０に適用した例を示す。図４において、地図上でハッチングのかかっている建物について、当該建物の表示部分に情報送信部が設置されている。例えば、レストランのメニューや価格が知りたい場合には、そのレストランの建物２１１に携帯端末２１２等の移動局（情報受信表示端末）を近づけると、発信されているレストランに関する情報を受信することが可能となる。
【００２８】
以上のように本実施の形態１によれば、ユーザが特にシステム的な接続を意識することなく、また特に必要な検索条件を入力することなく、欲しい情報を手軽に入手することが可能となる。
【００２９】
（実施の形態２）
次に本発明の実施の形態２にかかる情報通知システムについて、図５から図７を参照しながら説明する。図５は本発明の実施の形態２にかかる情報通知システムの構成図である。図５においては、図１に示す情報通知システムに対して、固定局１に構成要素として情報受信部１４が加えられ、移動局２に構成要素として情報送信部２３、情報入力部２４、及び情報保持部２５が加えられている。したがって、移動局２から固定局１に対しても入力した情報を送信することが可能となり、いわゆる双方向通信を実現することができる。
【００３０】
双方向通信を実現することで、移動局２の情報入力部２４で入力された情報を、固定局１の情報受信部１４を通じて、情報保持部１２に格納することができる。したがって、ユーザが得た情報を、固定局へ登録することが可能となる。
【００３１】
例えば、ユーザが情報検索条件を入力して必要な情報のみを得るようなシステムに活用できる。この場合、入力する検索条件を保持してユーザが選択できるようにしても良い。図６は、検索条件入力による本発明の実施の形態２にかかる情報通知システムの一実施例の構成図である。図６において、固定局１側に情報検索部１５が設置されており、ユーザが移動局２の情報入力部２４から入力した検索条件に基づいて必要な情報の検索を行い、その検索結果をユーザへ情報送信部１１から送信する。具体的には、ユーザが情報入力部２４から必要な情報のキーワードを入力すると、キーワードが検索条件として情報送信部２３から固定局１に送信され、条件検索部１５が当該キーワードを含む情報を情報保持部１２から検索する。当該キーワードを含む情報が存在する場合にはその情報を、存在しない場合にはその旨のメッセージを、情報送信部１１から移動局２に送信し、情報表示部２２にその情報を表示することができる。
【００３２】
また、検索の対象は固定局１内の情報保持部１２だけでなく、外部のデータベースを利用することもできる。外部のデータベースを検索対象として活用する実施例の構成図を図７に示す。図７において、固定局１はネットワーク接続部１６を備えており、ネットワーク５に接続されているデータベース装置４に接続される。データベース装置４はネットワーク５に接続するためのインタフェースとしてネットワーク接続部４１を備え、検索対象としてのデータベース部４２を備えている。
【００３３】
ユーザが移動局２から必要な情報の検索条件を入力すると、情報送信部２３を通じて固定局１に送信され、固定局１の条件検索部１５がネットワーク接続部１６を経由してデータベース部４２の検索を行う。検索結果は、ネットワーク５を通じて固定局１へ送信され、情報送信部１１によって移動局２へ送信される。
【００３４】
以上のように本実施の形態２によれば、双方向の通信が可能となり、かつ外部のデータベース情報も活用できるので、小エリア内通信の範疇を超えて、ユーザにとってきめ細かい情報を入手することが可能となる。
【００３５】
（実施の形態３）
次に本発明の実施の形態３にかかる情報通知システムについて、図８を参照しながら説明する。図８は本発明の実施の形態３にかかる情報通知システムの構成図である。図８において、６は携帯電話ネットワークを、６１、６２はそれぞれ通信路を示す。
【００３６】
本実施の形態３において特徴的なのは、固定局１と移動局２との間の通信手段が複数個確保されている点にある。すなわち、移動局２から情報の要求を固定局１に対して行った場合に、検索条件が複雑であったために、固定局１がすぐに回答を返せない場合も考えられる。ユーザは、携帯型端末を保持しているのが常態であるので、その間に移動することは容易に考えられる。また、検索結果が返ってくるまでの間、固定局１から離れることができないというのでは、利便性を考えると好ましくない。したがって、たとえユーザが固定局１から離れてしまった場合であっても、別の通信方法でユーザに要求された情報を回答することができることが必要である。そのため、データ送信部１７は通信路６１で、データ受信部２６は通信路６２で、それぞれ携帯電話ネットワーク６を介して通信可能となっており、固定局１からユーザが離れても回答を得ることができる。
【００３７】
以上のように本実施の形態３によれば、小ゾーン方式のように通信可能区域が限定されている端末を用いていても、必要な情報を必要な時にユーザへ通知することが可能となる。
【００３８】
（実施の形態４）
次に本発明の実施の形態４にかかる情報通知システムについて、図９を参照しながら説明する。図９は本発明の実施の形態４にかかる情報通知システムの構成図である。図９において、１８はイベント監視部を示す。
【００３９】
図９においては、移動局２から特定のイベントの監視とイベントが発生した場合にその旨を通知することを依頼する。固定局１では、内部で発生するイベントをイベント監視部１８にて常時監視し、監視対象イベントが発生した場合にその旨を移動局２に通知する。
【００４０】
監視するイベントの対象としては、移動局２から情報受信部１４を通じて受信するメッセージや、情報入力部１３から入力される情報が対象となり、実際にはそれが格納される情報保持部１２の更新状況を監視する。例えば、移動局２が情報送信部２３を通じてイベント所有者識別情報を固定局１に送信して、特定の所有者のイベントに関する情報を得ようとした場合、イベント監視部１８がそのイベント所有者識別情報に基づいて監視対象となるイベントを監視し、その所有者のイベントについて監視を要求したユーザの移動局２に対して、監視要求されたイベントを検出したことを通知する。なお、イベント所有者識別情報はイベント監視部１８に保持される。
【００４１】
具体的な適用例としては、バスの運行システム等と連携したシステムが考えられる。図１０はバスの運行システムと連携した情報通知システムの概念図である。図１０において、固定局１としてバス停留所１０１を想定し、停留所１０１に近づくことでユーザの所持する携帯端末１０２と通信可能となる。固定局１は運行管理情報ネットワーク１０３を通じてリアルタイムにバスの運行状況を把握することができる。ユーザは、携帯端末１０２を通じて、必要な情報、例えば「バス○○○号は、今どのあたりを走っていて、何分後に到着予定か。」等を要求し、それに対する回答を携帯端末１０２で得ることが可能となる。
【００４２】
図１１に本発明の実施の形態４にかかる情報通知システムの一実施例としてバスの運行システム等と連携した場合の構成図を示す。図１１において、８はバスの運行状況収集装置を示す。
【００４３】
本実施例では、運行状況集計装置７が、例えばバスがバス路線の定点を通過する予定時刻に対して遅延している時間を収集している。固定局１は路線バスの停留所に設置されており、その停留所を通過するバスの遅延時間がイベント監視部１８に通知される。なお、運行状況集計装置７とイベント監視部１８とは、回線によって接続されている。
【００４４】
移動局２を所持するユーザが、停留所を通過するバスの路線名等を情報入力部２４に入力して固定局１に通知すると、情報保持部１２に格納されている運行状況が情報送信部１１を通じて移動局２に表示される。また、そのバスが停留所に接近していると、例えばイベント監視部１８が近くの定点をバスが通過したというイベントを運行状況集計装置７から検出すると、データ送信部１７を通じて「バスが停留所に近づいている」という情報が移動局２に表示される。
【００４５】
なお、移動局２を所持するユーザが停留所の近傍にいるにもかかわらず、移動局２に運行状況を表示するのは、運行状況を把握し発信するのに時間がかかり、情報入手までにタイムラグが発生し、移動局２が固定局１の近傍から離れてしまう場合においても、運行状況を受信できるように配慮したものである。
【００４６】
かかるシステムは、病院や駅等の公共施設内等でも提供可能である。ユーザ側の端末については、最近普及しつつある液晶表示機能付きの携帯電話を使用する。データ通信には、標準化されている赤外線通信（IrDA）を利用すれば、コストを押さえることができる。さらに、PDA 等の携帯端末でも情報を取得することができる。
【００４７】
以上のように本実施の形態４によれば、ユーザの欲する情報をユーザが常時モニターすることなく、システムがイベントの発生を検知した時点で速やかにユーザへ通知することが可能となる。かかる特徴から、例えばバスの停留所で利用するバスの運行状況を取得すると、その取得した情報を元にデータベースからバスの行き先駅の乗り換え情報を一緒に提供する等のサービスが実現できる。
【００４８】
（実施の形態５）
次に本発明の実施の形態５にかかる情報通知システムについて、図１２を参照しながら説明する。図１２は本発明の実施の形態５にかかる情報通知システムの構成図である。図１２において、２７は識別子保持部を示す。
【００４９】
図１２において、識別子保持部２７を有することで、移動局２を唯一に限定することができる。具体的には、移動局２から情報入力部２４に入力した情報を固定局１に登録する場合には、情報送信部２３が自動的に発信者の識別子を識別し保持部２６から取得して、情報に付与して固定局１に送信される。したがって、当該情報がどの移動局２から送信されたものかを容易に特定することが可能となる。
【００５０】
また、特定の移動局２に対して情報を通知したい場合には、さらに情報入力部２４から当該移動局２の識別子を加えることで、希望通りの移動局２に情報を通知することが可能となる。
【００５１】
図１３は、通信路３を流れるデータの形式を示す。図１３において、１３１は発信者識別子を、１３２は受信者識別子を、１３３は送信データをそれぞれ示す。情報保持部１２では、図１３に示すように情報が受信すべき移動局２の識別子とともに保持されており、次に別の移動局２から情報取得の要求があった場合には、当該移動局２の識別子宛の情報を情報保持部１２から情報送信部１１を通じて発信する。
【００５２】
以上のように本実施の形態５によれば、移動局２のユーザを正確に把握し、特定の個人に対して、その個人が必要としている情報のみを通知することが可能となる。
【００５３】
（実施の形態６）
次に本発明の実施の形態６にかかる情報通知システムについて、図１４及び図１５を参照しながら説明する。図１４は本発明の実施の形態６にかかる情報通知システムの構成図である。図１４において、１９は受信端末検出部を示す。
【００５４】
図１４では、情報送信部１１の近傍に受信端末検出部１９を配置し、受信端末検出部１９が移動局２を検出したことを情報送信部１１に通知すると、情報送信部１１は情報保持部１２に保持されている情報の送信を開始する。情報送信部１１は、受信端末検出部１９が移動局２を検出しなくなると、情報の送信を中止する。
【００５５】
なお、受信端末検出部１９においては、移動局２が固定局１に近づくことによって光が遮られ、暗くなることを光センサが検出して、移動局２が接近したことを検知できるようになっている。例えば、図１５に示すように、情報送信部１５１の近傍に受信端末検出部１５２として光センサを設置することにより、ユーザが情報を取得するために移動局２を情報送信部１５１へ近づけると、受信端末検出部１５２への光が遮られ、移動局２が接近したことを検知できる。ただし、検知方法はこれに限定されるものではなく、他の方法であっても問題はない。
【００５６】
以上のように本実施の形態６によれば、情報を一方的に発信し続けることを回避でき、通信可能な状況にあることを確認した上で、確実にユーザに情報を通知することが可能となる。
【００５７】
次に、本発明にかかる情報通知システムを実現するプログラムの処理の流れについて説明する。図１６及び図１７に本発明にかかる情報通知システムを実現するプログラムの処理の流れ図を示す。
【００５８】
まず、図１６は固定局におけるプログラムの処理の概略流れ図である。図１６において、情報提供者は提供すべき情報を情報入力部から入力し（ステップＳ１６１）、情報保持部へ格納する（ステップＳ１６２）。そして、最新の情報からソート（ステップＳ１６３）した後、入力された情報を一定時間間隔毎に継続して発信する（ステップＳ１６４）。本プログラムは、明示的な終了命令があるまで（ステップＳ１６５）継続される。
【００５９】
また、図１７は移動局におけるプログラムの処理の概略流れ図である。図１７において、固定局から発信された情報をいつでも受信できるように、常駐する受信プロセスを起動させ（ステップＳ１７１）、情報が発信されるまで又は情報を受信できるようになるまで待機状態にする（ステップＳ１７２）。そして、移動局が固定局に十分に接近して固定局から情報が発信されたら（ステップＳ１７４）、発信された情報を受信して（ステップＳ１７５）、情報表示部に表示する（ステップＳ１７６）。本プログラムについても、明示的な終了命令があるまで（ステップＳ１７３、Ｓ１７７）継続される。
【００６０】
なお、本発明にかかる情報通知システムを実現するプログラムを記憶した記録媒体は、図１８に示す記録媒体の例に示すように、ＣＤ−ＲＯＭやフロッピーディスク等の可搬型記録媒体だけでなく、通信回線の先に備えられた他の記憶装置や、コンピュータのハードディスクやＲＡＭ等の記録媒体のいずれでも良く、プログラム実行時には、プログラムはローディングされ、主メモリ上で実行される。
【００６１】
また、本発明にかかる情報通知システムにより生成された固定局に保持された移動局からの入力データ等を記録した記録媒体も、図１８に示す記録媒体の例に示すように、ＣＤ−ＲＯＭやフロッピーディスク等の可搬型記録媒体だけでなく、通信回線の先に備えられた他の記憶装置や、コンピュータのハードディスクやＲＡＭ等の記録媒体のいずれでも良く、例えば本発明にかかる情報通知システムを利用する際にコンピュータにより読み取られる。
【００６２】
【発明の効果】
以上のように本発明にかかる情報通知システムによれば、情報を発信する装置を簡単な方法で実現でき、しかも特別な位置検出装置を必要としないので、情報を発信する装置を自由に配置することが可能となる。また、一つの案内板等の中に情報発信機能を複数持つことができるので、案内板の内容等と関連した情報をその該当する表示場所に近づけること若しくは接触させることで取得することが可能となる。
【００６３】
さらに、本発明にかかる情報通信システムによれば、情報を提供する固定局のネットワーク化、データベースの利用、イベントの監視機能の組み合わせによって、例えば公共交通機関の運行案内等の広範なサービスを提供することが可能となる。
【図面の簡単な説明】
【図１】  本発明の実施の形態１にかかる情報通知システムの構成図
【図２】  本発明の実施の形態１にかかる情報通知システムにおける他の構成例を示す図
【図３】  本発明の実施の形態１にかかる情報通知システムにおける一実施例の説明図
【図４】  本発明の実施の形態１にかかる情報通知システムにおける他の実施例の説明図
【図５】  本発明の実施の形態２にかかる情報通知システムの構成図
【図６】  本発明の実施の形態２にかかる情報通知システムにおける一実施例の構成図
【図７】  本発明の実施の形態２にかかる情報通知システムにおける他の実施例の構成図
【図８】  本発明の実施の形態３にかかる情報通知システムの構成図
【図９】  本発明の実施の形態４にかかる情報通知システムの構成図
【図１０】  本発明の実施の形態４にかかる情報通知システムにおける一実施例の概念図
【図１１】  本発明の実施の形態４にかかる情報通知システムにおける一実施例の構成図
【図１２】  本発明の実施の形態５にかかる情報通知システムの構成図
【図１３】  本発明の実施の形態５にかかる情報通知システムにおけるデータ形式を示す図
【図１４】  本発明の実施の形態６にかかる情報通知システムの構成図
【図１５】  本発明の実施の形態６にかかる情報通知システムにおける固定局（情報提供装置）表面の概略図
【図１６】  本発明にかかる情報通知システムにおける固定局の処理の概略流れ図
【図１７】  本発明にかかる情報通知システムにおける移動局の処理の概略流れ図
【図１８】  記録媒体の例示図
【符号の説明】
１  固定局（情報提供装置）
２  移動局（情報受信表示端末）
３，６１，６２  通信路
４  データベース装置
５  ネットワーク（任意）
６  携帯電話ネットワーク
７  運行状況集計装置
１１，１１ａ，１１ｂ，１１ｃ，１５１  情報送信部（固定局）
１２  情報保持部（固定局）
１３  情報入力部（固定局）
１４  情報受信部（固定局）
１５  条件検索部
１６，４１  ネットワーク接続部
１７  データ送信部
１８  イベント監視部
１９，１５２  受信端末検出部
２１  情報受信部（移動局）
２２  情報表示部
２３  情報送信部（移動局）
２４  情報入力部（移動局）
２５  情報保持部（移動局）
２６  データ受信部
２７  識別子保持部
４２  データベース
１０１  バス停留所
１０２  携帯端末
１０３  運行管理情報ネットワーク
１３１  発信者識別子
１３２  受信者識別子
１３３  転送データ
１８１  回線先の記憶装置
１８２  ＣＤ−ＲＯＭやフロッピーディスク等の可搬型記録媒体
１８２−１  ＣＤ−ＲＯＭ
１８２−２  フロッピーディスク
１８３  コンピュータ
１８４  コンピュータ上のＲＡＭ／ハードディスク等の記録媒体
２００  一フロアの案内図
２０１  オフィス
２１０  周辺地図の案内板
２１１  建物
２１２  携帯端末
【図１】
0004355041.tif 000002
【図２】
0004355041.tif 000003
【図３】
0004355041.tif 000004
【図４】
0004355041.tif 000005
【図５】
0004355041.tif 000006
【図６】
0004355041.tif 000007
【図７】
0004355041.tif 000008
【図８】
0004355041.tif 000009
【図９】
0004355041.tif 000010
【図１０】
0004355041.tif 000011
【図１１】
0004355041.tif 000012
【図１２】
0004355041.tif 000013
【図１３】
0004355041.tif 000014
【図１４】
0004355041.tif 000015
【図１５】
0004355041.tif 000016
【図１６】
0004355041.tif 000017
【図１７】
0004355041.tif 000018
【図１８】
0004355041.tif 000019